(57)【要約】【課題】  受信エリアサービスの受信状態を示すエラー信号に基づいて、狭受信エリアサービスと広受信エリアサービスとを切換えて利用することができるデジタルデータ受信機を提供する。【解決手段】  デジタルデータ受信機（１０）は、狭受信エリアサービスにおける第１受信データから第１映像信号を生成する第１映像信号生成手段（２０）と、広受信エリアサービスにおける第２受信データから第２映像信号を生成する第２映像信号生成手段（２２）と、狭受信エリアサービスの受信状態を示すエラー信号を発生するエラー信号発生手段（１４）と、エラー信号に基づいて第１映像信号と第２映像信号との間の切換えを行う切換手段（１８、２６、３６）とを有することを特徴とする。【選択図】      図１
2005217474.tif 000002
【特許請求の範囲】
【請求項１】
デジタルデータ受信機であって、
狭受信エリアサービスにおける第１受信データから第１映像信号を生成する第１映像信号生成手段と、
広受信エリアサービスにおける第２受信データから第２映像信号を生成する第２映像信号生成手段と、
前記エラー信号に基づいて前記狭受信エリアサービスの受信状態を示すエラー信号を発生するエラー信号発生手段と、
前記第１映像信号と前記第２映像信号との間の切換えを行う切換手段と、
を有することを特徴とするデジタルデータ受信機。
【請求項２】
さらに、前記第１受信データに関するパケット信号のパケット数をカウントするパケットカウンタ及び前記エラー信号のエラー数をカウントするエラーカウンタを有し、
前記パケットカウンタが所定値に達した時に前記エラーカウンタが第１の値以上の場合に、前記切換手段は、第１映像信号から第２映像信号への切換えを行う請求項１に記載のデジタルデータ受信機。
【請求項３】
さらに、前記第１受信データに関するパケット信号のパケット数をカウントするパケットカウンタ及び前記エラー信号のエラー数をカウントするエラーカウンタを有し、
前記パケットカウンタが所定値に達した時に前記エラーカウンタが第１の値より小さい場合に、前記切換手段は、第２映像信号から第１映像信号への切換えを行う請求項１に記載のデジタルデータ受信機。
【請求項４】
前記パケットカウンタが所定値に達した時に、前記エラーカウンタ及び前記パケットカウンタをリセットする請求項２又は３に記載のデジタルデータ受信機。
【請求項５】
前記エラーカウンタが所定値に達した時に、前記エラーカウンタ及び前記パケットカウンタをリセットする請求項２又は３に記載のデジタルデータ受信機。
【請求項６】
前記切換手段による、前記第１映像信号と前記第２映像信号との間の切換えは、前記パケットカウンタが所定値に達した後、一定時間経過後に行われる請求項２〜５の何れか一項に記載のデジタルデータ受信機。
【請求項７】
デジタルデータ受信機であって、
狭受信エリアサービスにおける第１受信データから第１映像信号を生成する第１映像信号生成手段と、
広受信エリアサービスにおける第２受信データから第２映像信号を生成する第２映像信号生成手段と、
前記狭受信エリアサービスの受信状態を示す第１エラー信号を発生する第１エラー信号発生手段と、
前記広受信エリアサービスの受信状態を示す第２エラー信号を発生する第２エラー信号発生手段と、
前記第１エラー信号又は前記第２エラー信号に基づいて前記第１映像信号と前記第２映像信号との間の切換えを行う切換手段と、
を有することを特徴とするデジタルデータ受信機。
【請求項８】
さらに、前記第１受信データに関するパケット信号の第１パケット数をカウントする第１パケットカウンタ、前記第２受信データに関するパケット信号の第２パケット数をカウントする第２パケットカウンタ、前記第１エラー信号の第１エラー数をカウントする第１エラーカウンタ、及び前記第２エラー信号の第２エラー数をカウントする第２エラーカウンタとを有し、
前記第１パケットカウンタが所定値に達した時に前記第１エラーカウンタが第１の値より小さい場合に、前記切換手段は、第２映像信号から第１映像信号への切換えを行う請求項７に記載のデジタルデータ受信機。
【請求項９】
さらに、前記第１受信データに関するパケット信号の第１パケット数をカウントする第１パケットカウンタ、前記第２受信データに関するパケット信号の第２パケット数をカウントする第２パケットカウンタ、前記第１エラー信号の第１エラー数をカウントする第１エラーカウンタ、及び前記第２エラー信号の第２エラー数をカウントする第２エラーカウンタとを有し、
前記第１パケットカウンタが所定値に達した時に前記第１エラーカウンタが第１の値より大きく、且つ前記第２パケットカウンタが所定値に達した時に前記第２エラーカウンタが第２の値より小さい場合に、前記切換手段は、前記第１映像信号から前記第２映像信号への切換えを行う請求項７に記載のデジタルデータ受信機。
【請求項１０】
さらに、前記第１受信データに関するパケット信号の第１パケット数をカウントする第１パケットカウンタ、前記第２受信データに関するパケット信号の第２パケット数をカウントする第２パケットカウンタ、前記第１エラー信号の第１エラー数をカウントする第１エラーカウンタ、及び前記第２エラー信号の第２エラー数をカウントする第２エラーカウンタとを有し、
前記第１パケットカウンタが所定値に達し且つ第２パケットカウンタが所定の値に達したときに、前記第２エラーカウンタが、前記第２の値より大きい第３の値以上の場合に、前記切換手段は、前記第１及び前記第２映像信号のいずれも選択しない、又は前記第１映像信号を静止画として提示する請求項９に記載のデジタルデータ受信機。
【請求項１１】
前記第１パケットカウンタが所定値に達した時に前記第１エラーカウンタ及び前記第１パケットカウンタをリセットし、前記第２パケットカウンタが所定値に達した時に前記第２エラーカウンタ及び前記第２パケットカウンタをリセットする請求項８〜１０の何れか一項に記載に記載のデジタルデータ受信機。
【請求項１２】
前記第１エラーカウンタが所定値に達した時に前記第１エラーカウンタ及び前記第１パケットカウンタをリセットし、前記第２エラーカウンタが所定値に達した時に前記第２エラーカウンタ及び前記第２パケットカウンタをリセットする請求項８〜１０の何れか一項に記載に記載のデジタルデータ受信機。
【請求項１３】
前記切換手段による、前記第１映像信号と前記第２映像信号との間の切換えは、前記第１パケットカウンタ又は前記第２パケットカウンタが所定値に達した後、一定時間経過後に行われる請求項８〜１０の何れか一項に記載のデジタルデータ受信機。
【請求項１４】
さらに、前記第１又は第２パケットカウンタの所定値を設定する所定値設定手段を有する請求項８〜１３の何れか一項に記載のデジタルデータ受信機。
【請求項１５】
さらに、前記第１の値を設定するための第１設定手段を有する請求項８〜１０の何れか一項に記載のデジタルデータ受信機。
【請求項１６】
さらに、前記第２の値を設定するための第２設定手段を有する請求項９又は１０に記載のデジタルデータ受信機。
【請求項１７】
さらに、前記第３の値を設定するための第３設定手段を有する請求項１０に記載のデジタルデータ受信機。
【請求項１８】
前記エラー信号は、第１受信データに関するパケット信号のトランスポート・エラー信号である請求項１〜１８の何れか一項に記載のデジタルデータ受信機。
【請求項１９】
前記エラー信号は、第１受信データに関するリードソロモン・エラー信号である請求項１〜１８の何れか一項に記載のデジタルデータ受信機。
【請求項２０】
さらに、シームレス制御を行うか否かの選択を行うことができるシームレス制御選択手段を有する請求項１〜１７の何れか一項に記載のデジタルデータ受信機。
【請求項２１】
さらに、前記シームレス制御のレベルを設定することができるレベル設定手段を有する請求項２０に記載のデジタルデータ受信機。
【発明の詳細な説明】
【技術分野】
【０００１】
本発明は、複数種類の受信エリアサービスを切換えて使用することができるデジタル放送受信機等のデジタルデータ受信機に関するものである。
【背景技術】
【０００２】
デジタル放送では、伝送特性の異なる複数の階層を同時に伝送する階層伝送が可能である。その内の一つを伝送容量は小さいがエラー耐性は強い標準映像の伝送方法に設定し、他の一つを伝送容量は高く高画質映像を伝送することはできるがエラー耐性は低い伝送方式に設定することができる。そこで、デコードエラーを検出して、エラー頻度が高い場合には、高画質映像の伝送方式から標準映像の伝送方式に切換え、エラー頻度が低くなったら、標準映像の伝送方式に再び戻すという制御がなされていた（例えば、特許文献１参照）。
【０００３】
しかしながら、デコードエラーに基づいて、伝送方式の切換えを行っていたため、受信不良によるエラーと純粋にデコード時に発生するエラーの何れかが発生した場合に、伝送方式を切換えてしまうという不具合があった。
【０００４】
【特許文献１】特開２００１−３０９２７３号公報
【発明の開示】
【発明が解決しようとする課題】
【０００５】
そこで、本発明は、受信エリアサービスの受信状態を示すエラー信号に基づいて、狭受信エリアサービス（ＭＰＥＧ２方式）と広受信エリアサービス（ＭＰＥＧ４方式）とを切換えて利用することができるデジタルデータ受信機を提供することを目的とする。
【課題を解決するための手段】
【０００６】
上記課題を解決するために、本発明に係るデジタルデータ受信機は、狭受信エリアサービスにおける第１受信データから第１映像信号を生成する第１映像信号生成手段と、広受信エリアサービスにおける第２受信データから第２映像信号を生成する第２映像信号生成手段と、狭受信エリアサービスの受信状態を示すエラー信号を発生するエラー信号発生手段と、エラー信号に基づいて第１映像信号と第２映像信号との間の切換えを行う切換手段と、を有することを特徴とする。
【０００７】
さらに、第１受信データに関するパケット信号のパケット数をカウントするパケットカウンタ及び前記エラー信号のエラー数をカウントするエラーカウンタを有し、パケットカウンタが所定値に達した時にエラーカウンタが第１の値以上の場合に、切換手段は、第１映像信号から第２映像信号への切換えを行うことが好ましい。狭受信エリアサービスによる映像を視聴中に、受信状態エラーが多発した場合、よりノイズ耐性の強い広受信エリアサービスによる映像に切換えるものである。
【０００８】
さらに、第１受信データに関するパケット信号のパケット数をカウントするパケットカウンタ及びエラー信号のエラー数をカウントするエラーカウンタを有し、パケットカウンタが所定値に達した時にエラーカウンタが第１の値より小さい場合に、切換手段は、第２映像信号から第１映像信号への切換えを行うことが好ましい。広受信エリアサービスによる映像を視聴中に、より画質の高い狭受信エリアサービスの受信状態が良好な場合に、狭受信エリアサービスによる映像に切換えるものである。
【０００９】
さらに、パケットカウンタが所定値に達した時に、エラーカウンタ及びパケットカウンタをリセットすることが好ましい。
【００１０】
さらに、エラーカウンタが所定値に達した時に、エラーカウンタ及びパケットカウンタをリセットすることが好ましい。
【００１１】
また、上記課題を解決するために、本発明に係るデジタルデータ受信機は、狭受信エリアサービスにおける第１受信データから第１映像信号を生成する第１映像信号生成手段と、広受信エリアサービスにおける第２受信データから第２映像信号を生成する第２映像信号生成手段と、狭受信エリアサービスの受信状態を示す第１エラー信号を発生する第１エラー信号発生手段と、広受信エリアサービスの受信状態を示す第２エラー信号を発生する第２エラー信号発生手段と、第１エラー信号又は第２エラー信号に基づいて第１映像信号と前記第２映像信号との間の切換えを行う切換手段と、を有することを特徴とする。
【００１２】
さらに、第１受信データに関するパケット信号の第１パケット数をカウントする第１パケットカウンタ、第２受信データに関するパケット信号の第２パケット数をカウントする第２パケットカウンタ、第１エラー信号の第１エラー数をカウントする第１エラーカウンタ、及び第２エラー信号の第２エラー数をカウントする第２エラーカウンタとを有し、第１パケットカウンタが所定値に達した時に第１エラーカウンタが第１の値より小さい場合に、切換手段は、第２映像信号から第１映像信号への切換えを行うことが好ましい。
【００１３】
さらに、第１受信データに関するパケット信号の第１パケット数をカウントする第１パケットカウンタ、第２受信データに関するパケット信号の第２パケット数をカウントする第２パケットカウンタ、第１エラー信号の第１エラー数をカウントする第１エラーカウンタ、及び第２エラー信号の第２エラー数をカウントする第２エラーカウンタとを有し、第１パケットカウンタが所定値に達した時に第１エラーカウンタが第１の値より大きく、且つ第２パケットカウンタが所定値に達した時に第２エラーカウンタが第２の値より小さい場合に、切換手段は、第１映像信号から第２映像信号への切換えを行うことが好ましい。狭受信エリアサービスによる映像を視聴中に、受信状態エラーが多発した場合、よりノイズ耐性の強い広受信エリアサービスの受信状態を確認した上で、広受信エリアサービスによる映像に切換えるものである。
【００１４】
さらに、第１受信データに関するパケット信号の第１パケット数をカウントする第１パケットカウンタ、第２受信データに関するパケット信号の第２パケット数をカウントする第２パケットカウンタ、第１エラー信号の第１エラー数をカウントする第１エラーカウンタ、及び第２エラー信号の第２エラー数をカウントする第２エラーカウンタとを有し、第１パケットカウンタが所定値に達し且つ第２パケットカウンタが所定の値に達したときに、第２エラーカウンタが、第２の値より大きい第３の値以上の場合に、切換手段は、第１及び第２映像信号のいずれも選択しない、又は第１映像信号を静止画として提示することが好ましい。よりノイズ耐性が強い広受信エリアサービスにおいても受信状態が不良の場合には、映像を中断又は静止画とするようにしたものである。この場合には、音声のみ出力するようにしても良い。
【００１５】
さらに、第１パケットカウンタが所定値に達した時に第１エラーカウンタ及び第１パケットカウンタをリセットし、第２パケットカウンタが所定値に達した時に第２エラーカウンタ及び第２パケットカウンタをリセットすることが好ましい。
【００１６】
さらに、第１エラーカウンタが所定値に達した時に第１エラーカウンタ及び第１パケットカウンタをリセットし、第２エラーカウンタが所定値に達した時に第２エラーカウンタ及び第２パケットカウンタをリセットすることが好ましい。
【００１７】
さらに、切換手段による、第１映像信号と第２映像信号との間の切換えは、第１パケットカウンタ又は第２パケットカウンタが所定値に達した後、一定時間経過後に行われることが好ましい。シームレスに映像の切換えを行うためである。
【００１８】
さらに、第１又は第２パケットカウンタの所定値を設定する所定値設定手段を有することが好ましい。
【００１９】
さらに、第１の値を設定するための第１設定手段、第２の値を設定するための第２設定手段、第３の値を設定するための第３設定手段を有することが好ましい。
【００２０】
さらに、エラー信号は、第１受信データに関するパケット信号のトランスポート・エラー信号、又第１受信データに関するリードソロモン・エラー信号であることが好ましい。
【００２１】
さらに、シームレス制御を行うか否かの選択を行うことができるシームレス制御選択手段、シームレス制御のレベルを設定することができるレベル設定手段を有することが好ましい。
【発明の効果】
【００２２】
本発明によれば、受信エリアサービスの受信状態を示すエラー信号に基づいて、狭受信エリアサービスと広受信エリアサービスとを切換えるように制御したので、受信状態のみに応じて、最良の映像を提供することが可能となった。特に、本発明を車載のデジタル放送受信機に利用する場合には、車の移動によって異なった受信エリアサービス地域を行き来しなければならないことから、受信状態のみに応じて受信サービスを切換えるので、ユーザは常に最良の映像を視聴し続けることが可能となる。
【発明を実施するための最良の形態】
【００２３】
以下図面を参照して、本発明に係るデジタルデータ受信機について説明する。
【００２４】
本発明の第１の実施形態に係わるデジタルデータ（放送）受信機１０の概要を図１に示す。
【００２５】
図１において、デジタルデータ受信機１０は、ＲＦベースバンド処理部１２、ＯＦＤＭ復調処理部１４、ＴＳ信号分離処理部１６、第１ビデオデコーダ２０、第２ビデオデコーダ２２、オーディオデコーダ２４、映像切換処理部２６、エンコーダ２８、Ｄ／Ａ変換器３０、ＲＡＭ３２、ＲＯＭ３４、ＣＰＵ３６、及びシステムバス３８等から構成されている。また、デジタルデータ（放送）受信機１０は、アンテナ４０、車載用のディスプレイ５０及びスピーカ６０と接続され、リモコン（不図示）等によって操作される。
【００２６】
ＲＦベースバンド処理部１２は、アンテナ４０より受信放送波を受信し、ＯＦＤＭ（Orthogonal Frequency Division Multiplexing）復調処理部１４は、デジタル変調された信号の復調を行い誤り訂正処理等を行って、ＴＳ（トランスポート・ストリーム）パケット信号をＴＳ信号分離処理部１６へ送る。
【００２７】
ＴＳ信号分離処理部１６は、同時にＴＳパケット信号及びエラー信号（パケットのヘッダ部のトランスポート・エラー信号又はリードソロモン（ＲＳ）・エラー信号）を映像データの切換えの為にカウンタ処理部１８に送る。またＴＳ信号分離処理部１６は、ＴＳパケット信号を、第１映像データ、第２映像データ及び音声データに分離し、それぞれ第１ビデオデコーダ２０、第２ビデオデコーダ２２及びオーディオデコーダ２４に送る。ここで、第１映像データはＭＰＥＧ２方式によって符号化された符号化データに対応し、第２映像データはＭＰＥＧ４方式にとって符号化された符号化データに対応する。なお、ＯＦＤＭでは、同時に３種類の信号キャリアを搬送することができることから、最大３種類の映像データをＴＳデコード部１６から分離することができるが、本実施形態では、ＭＰＥＧ２方式とＭＰＥＧ４方式で符号化された符号化データを取扱うこととして、２つのビデオデコーダ２０及び２２を設けている。しかしながら、これに限定されることなく、第３のビデオデコード部を設けることもできる。
【００２８】
同期された第１ビデオデコーダ２０及び第２ビデオデコーダ２２からの映像信号は、映像切換処理部２６で何れか一方が選択されてエンコーダ２８を介してディスプレイ５０に表示される。また、オーディオデコーダ２４からのデジタル音声信号は、Ｄ／Ａ変換器によりアナログ信号に変換されてスピーカ６０から映像信号と同期して出力される。
【００２９】
カウンタ処理部１８は、ＴＳ信号分離処理部１６からのＴＳパケット信号及びエラー信号を用いて、後述するように映像切換え信号を出力する。映像切換処理部２６では、カウンタ処理部１８からの映像切換え信号に基づいて映像を切換えて出力又は映像の出力の中断を行う。
【００３０】
ＣＰＵ３６は、ＲＡＭ３２を利用しながら、ＲＯＭ３４に格納されているソフトウエアにしたがって動作し、システムバス３８と接続されている各要素の制御を行う。なお、ＣＰＵ３６が、ＲＯＭ３４に予め記憶されるプログラムにしたがって、カウンタ処理部１８の状態を検出して、映像切換処理部２６に制御信号を送出することによって映像の切換えを行っても良い。
【００３１】
ＭＰＥＧ２方式で符号化された符号化データによる放送サービスは、より高画質な映像データを受信することができるが、ビットレートが高いため、ノイズ耐性が弱く、放送局からの距離が長くなると、良好な受信が困難となる狭受信エリアサービスである。これに対して、ＭＰＥＧ４方式で符号化された符号化データによる放送サービスは、ＭＰＥＧ２方式よりビットレートが低いため、低画質であるが、ノイズ耐性が強く、放送局からの距離がより長くなっても良好に受信することが可能となる広受信エリアサービスである。本実施形態では、ＭＰＥＧ２方式で符号化された符号化データによる放送サービスを狭受信エリアサービスとし、ＭＰＥＧ４方式で符号化された符号化データによる放送サービスを広受信エリアサービスとして、以下記述しているが、これに限定されるものではなく、他の受信エリアサービスを利用することも可能である。さらに、ＭＰＥＧ２方式で符号化された符号化データによる放送サービスを広受信エリアサービスとて、他の受信エリアサービスと組み合わせることも可能である。
【００３２】
図２に、図１に示すデジタルデータ（放送）受信機１０におけるカウンタ処理部１８の詳細を示す。カウンタ処理部１８は、ＴＳ信号分離処理部１６からのＴＳパケット信号をカウンとするパケットカウンタ１８１、ＴＳ信号分離処理部１６からのエラー信号をカウンとするエラーカウンタ１８２、所定のパケットセット値を記憶するパケットカウンタセット値記憶部１８３、所定のエラーセット値を記憶するエラーカウンタセット値記憶部１８４、パケットカウンタセット値記憶部１８３に記憶されているセット値になったらパケットカウンタ１８１及びエラーカウンタ１８２をリセットし、エラーカウンタ１８２の値がエラーカウンタセット値記憶部１８４に記憶されているセット値より大きくなったら、映像切換え信号を出力する制御部１８５を有している。
【００３３】
図２の例では、ＴＳパケット信号は、ＭＰＥＧ２方式によって符号化された符号化データに係わる階層によるものであり、エラー信号は、当該階層のＴＳパケット信号内のヘッダ部にあるトランスポート・エラー信号（エラービット信号又はTS_ERR信号）である。トランスポート・エラー信号は、それに対応するパケット内に誤りがあるか否かを示す信号であり、Ｈレベルの時に誤りあり、Ｌレベルの時に誤り無しを示す。エラーカウンタ１８２は、エラー信号の立ち上がり又は立ち下りの時点で、カウントのインクリメントを行う。
【００３４】
図３に、本実施形態における映像切換処理のフローを示す。
【００３５】
当初（ステップ３０１）、ＭＰＥＧ２方式によって符号化された符号化データに係わる階層のＴＳパケット信号から第１ビデオデコーダ２０によって映像信号がディスプレイ５０に出力されるように映像切換処理部２６の設定がなされており、カウンタ処理部１８のパケットカウンタセット値（所定値）は「１０００」に、エラーカウントセット値は「３」にセットされているものとする。
【００３６】
次に、制御部１８５において、パケットカウンタ１８１の値が「１０００」と比較され、一致するか否かが判断され（ステップ３０２）、一致しない場合には、本フローが終了する（ステップ３０６）。
【００３７】
パケットカウンタ１８１の値が「１０００」と一致する場合には、制御部１８５において、エラーカウンタ１８２の値が「３」以上か否かが判断される（ステップ３０３）。
【００３８】
エラーカウンタ１８２の値が「３」以上の場合には、制御部１８５から映像切換え信号が出力される（ステップ３０４）。映像切換処理部２６は、映像切換え信号を受信すると、現在視聴中のＭＰＥＧ２方式による映像信号から、ＭＰＥＧ４方式によって符号化された符号化データに係わる階層のＴＳパケット信号から第２ビデオデコーダ２２によって出力される映像信号に切換えて、ディスプレイ５０に出力する。
【００３９】
エラーカウンタ１８２の値が「３」より小さい場合には、制御部１８５は現在視聴中のＭＰＥＧ２方式による映像信号の切換えを行わず、パケットカウンタ１８１及びエラーカウンタ１８２のリセットを行い（ステップ３０５）、本フローを終了（ステップ３０６）する。本フローは、所定のタイミングで繰替えされる。
【００４０】
この様に、狭受信エリアサービスであるＭＰＥＧ２方式によるサービスによる映像を視聴中に、エラー信号が多発している場合、受信状態が良好ではないと判断し、ＭＰＥＧ４方式による広受信エリアサービスに切換えるように制御される。
【００４１】
なお、図３のフローでは、１０００パケット信号毎に３以上のエラー信号をカウントした場合に受信状態不良と判断したが、これは一例であって、装置や状況に応じて、様々に変更可能である。また、パケットカウンタセット値及びエラーカウンタセット値は、所定の設定手段によって、ユーザによって設定できるようにしても良い。さらに、パケットカウンタ１８１の値がパケットカウンタセット値と一致した場合、エラーカウンタ１８２の値が所定の設定値より小さい場合に、ＭＰＥＧ４方式からＭＰＥＧ２方式へ戻すようにしても良い。
【００４２】
また、図３のフローでは、パケット信号を１０００個受信した毎にエラーカウンタ１８２の値を検出したが、パケットカウンタ１８１の値に拘わらず、エラーカウンタ１８２の値を検出し、エラーカウンタセット値以上となった場合に映像切換え信号を出力するようにしても良い。さらに、エラーカウンタセット値以上となった場合に、パケットカウンタ１８１をリセットするようにしても良い。
【００４３】
本発明の第２の実施形態について以下に説明する。
【００４４】
第２の実施形態では、図２に示すカウンタ処理部１８の代わりに、図４に示すカウンタ処理部１８が用いられる。図４において、カウンタ処理部１８は、ＴＳ信号分離処理部１６からのＭＰＥＧ２方式による伝送階層に係わるＴＳパケット信号をカウンとする第１パケットカウンタ２８１、ＭＰＥＧ４方式による伝送階層に係わるＴＳパケット信号をカウンとする第２パケットカウンタ２８２、ＯＦＤＭ復調処理部１４からのＭＰＥＧ２方式による伝送階層に係わるＴＳパケット信号に対応するエラー信号をカウンとする第１エラーカウンタ２８３、ＭＰＥＧ４方式による伝送階層に係わるＴＳパケット信号に対応するエラー信号をカウンとする第２エラーカウンタ２８４、所定のパケットセット値を記憶するパケットカウンタセット値記憶部２８５、所定のエラーセット値を記憶するエラーカウンタセット値記憶部２８６、第１パケットカウンタ２８１と第１エラーカウンタ２８３、及び第２パケットカウンタ２８２と第２エラーカウンタ２８４をリセットし、映像切換え信号を出力する制御部２８７等から構成される。
【００４５】
図４において、エラー信号は、ＭＰＥＧ２又はＭＰＥＧ４方式による伝送階層のそれぞれのＴＳパケット信号内のヘッダ部にあるトランスポート・エラー信号（エラービット信号又はTS_ERR信号）である。トランスポート・エラー信号は、それに対応するパケット内に誤りがあるか否かを示す信号であり、Ｈレベルの時に誤りあり、Ｌレベルの時に誤り無しを示す。エラーカウンタ２８３、２８４は、エラー信号の立ち上がり又は立ち下りの時点で、カウントのインクリメントを行う。
【００４６】
図５に、本実施形態における映像切換処理のフローを示す。
【００４７】
当初（ステップ５０１）、カウンタ処理部１８の第１及び第２パケットカウンタ２８１、２８２のパケットカウンタセット値は「１０００」（所定値）に、エラーカウンとセット値は「３」にセットされているものとする。
【００４８】
次に、現在視聴中の伝送階層が狭受信エリアサービス（ＭＰＥＧ２方式）か否かが判断される（ステップ５０２）。現在視聴中の伝送階層は、ＣＰＵ３６からの映像切換処理部２６への指定、第１及び第２ビデオデコーダ２０及び２２から出力されるデータ等から判断することができる。狭受信エリアサービスでない場合には、ステップ５０７へ進んで本フローを終了する。
【００４９】
現在視聴中の伝送階層が、狭受信エリアサービス（ＭＰＥＧ２方式）の場合には、制御部２８７は、第１パケットカウンタ２８１の値を「１０００」と比較し、一致するか否かを判断する（ステップ５０３）。一致しない場合には、ステップ５０７へ進み本フローを終了する。
【００５０】
第１パケットカウンタ２８１の値が「１０００」と一致する場合には、制御部２８７において、第１エラーカウンタ２８３の値が「３」以上か否かが判断される（ステップ５０４）。
【００５１】
第１エラーカウンタ２８３の値が「３」以上の場合には、制御部２８７から映像切換え信号が出力される（ステップ５０５）。映像切換処理部２６は、映像切換え信号を受信すると、現在視聴中のＭＰＥＧ２方式による映像信号から、ＭＰＥＧ４方式によって符号化された符号化データに係わる階層のＴＳパケット信号から第２ビデオデコーダ２２によって出力される映像信号に切換えて、ディスプレイ５０に出力する。
【００５２】
第１エラーカウンタ２８３の値が「３」より小さい場合には、制御部２８７は現在視聴中のＭＰＥＧ２方式による映像信号の切換えを行わず、第１及び第２パケットカウンタ２８１、２８２、第１及び第２エラーカウンタ２８３、２８４のリセット、あるいは、一方の組み合わせ（第１パケットカウンタ２８１と第１エラーカウンタ２８３、又は第２パケットカウンタ２８２と第２エラーカウンタ２８４）のリセットを行い（ステップ５０６）、本フローを終了（ステップ５０７）する。本フローは、所定のタイミングで繰替えされる。
【００５３】
この様にして、狭受信エリアサービスにおいてエラー信号が多発している場合には、狭受信エリアサービスであるＭＰＥＧ２方式によるサービスでは、受信状態が良好ではないと判断し、ＭＰＥＧ４方式による広受信エリアサービスに切換えるように制御される。
【００５４】
なお、図５のフローでは、１０００パケット信号毎に３以上のエラー信号をカウントした場合に受信状態不良と判断したが、これは一例であって、装置や状況に応じて、様々に変更可能である。また、パケットカウンタセット値及びエラーカウンタセット値は、所定の設定手段によって、ユーザによって設定できるようにしても良い。
【００５５】
また、図５のフローでは、パケット信号を１０００個受信した毎にエラーカウンタ２８３の値を検出したが、パケットカウンタ２８１の値に拘わらず、エラーカウンタ２８３の値を検出し、エラーカウンタセット値以上となった場合に映像切換え信号を出力するようにしても良い。さらに、エラーカウンタセット値以上となった場合に、パケットカウンタ２８１をリセットするようにしても良い。さらに、第１パケットカウンタ２８１の値がパケットカウンタセット値と一致した場合、第１エラーカウンタ２８３の値が所定の設定値より小さい場合に、ＭＰＥＧ４方式からＭＰＥＧ２方式に戻すようにしても良い。
【００５６】
図６に、本実施形態における映像切換処理の他のフローを示す。
【００５７】
当初（ステップ６０１）、カウンタ処理部１８の第１及び第２パケットカウンタ２８１、２８２のパケットカウンタセット値は「１０００」（所定値）に、ＭＰＥＧ２方式の伝送階層に関するエラー信号用の第１のセット値は「３」に、ＭＰＥＧ４方式の伝送階層に関するエラー信号用の第２のセット値は「３」にセットされているものとする。
【００５８】
次に、現在視聴中の伝送階層が狭受信エリアサービス（ＭＰＥＧ２方式）か否かが判断される（ステップ６０２）。現在視聴中の伝送階層は、ＣＰＵ３６からの映像切換処理部２６への指定、ＯＦＤＭ復調処理部１４からのＴＳデータ等から判断することができる。狭受信エリアサービスでない場合には、ステップ６０９へ進んで本フローを終了する。
【００５９】
現在視聴中の伝送階層が、狭受信エリアサービス（ＭＰＥＧ２方式）の場合には、制御部２８７は、第１パケットカウンタ２８１の値を「１０００」と比較し、一致するか否かを判断する（ステップ６０３）。一致しない場合には、ステップ６０９へ進み本フローを終了する。
【００６０】
第１パケットカウンタ２８１の値が「１０００」と一致する場合には、制御部２８７において、第１エラーカウンタ２８３の値が第１のセット値である「３」以上か否かが判断される（ステップ６０４）。
【００６１】
第１エラーカウンタ２８３の値が第１のセット値「３」以上の場合には、第２パケットカウンタ２８２の値を「１０００」と比較し、一致するか否かが判断される（ステップ６０５）。
【００６２】
第２パケットカウンタ２８２が「１０００」に一致すると、制御部２８７において、エラーカウンタ２８４の値が第２のセット値である「３」より小さいか否かが判断される（ステップ６０６）。
【００６３】
第２エラーカウンタ２８４の値が第２のセット値である「３」より小さい場合には、制御部２８７から映像切換え信号が出力される（ステップ６０７）。映像切換処理部２６は、映像切換え信号を受信すると、現在視聴中のＭＰＥＧ２方式による映像信号から、ＭＰＥＧ４方式によって符号化された符号化データに係わる階層のＴＳパケット信号から第２ビデオデコーダ２２によって出力される映像信号に切換えて、ディスプレイ５０に出力する。
【００６４】
第１エラーカウンタ２８３の値が第１のセット値「３」より小さい場合及びエラーカウンタ２８４の値が第２のセット値である「３」以上の場合には、制御部２８７は現在視聴中のＭＰＥＧ２方式による映像信号の切換えを行わず、第１及び第２パケットカウンタ２８１及び２８２、第１及び第２エラーカウンタ２８３及び２８４のリセット、あるいは、一方の組み合わせ（第１パケットカウンタ２８１と第１エラーカウンタ２８３、又は第２パケットカウンタ２８２と第２エラーカウンタ２８４）のリセットを行い（ステップ６０８）、本フローを終了（ステップ６０９）する。本フローは、所定のタイミングで繰替えされる。
【００６５】
この様にして、狭受信エリアサービスにおいてエラー信号が多発している場合には（ステップ６０４参照）、広受信エリアサービスにおいてエラー信号が多発していないことを条件に（ステップ６０６参照）、狭受信エリアサービスであるＭＰＥＧ２方式によるサービスからＭＰＥＧ４方式による広受信エリアサービスに切換えるように制御する。
【００６６】
なお、図６のフローでは、狭受信エリアサービス及び広受信エリアサービスにおいて、共に１０００パケット信号毎に３以上のエラー信号をカウントした場合に受信状態不良と判断したが、これは一例であって、装置や状況に応じて、様々に変更可能である。また、パケットカウンタセット値、第１及び第２のエラーカウンタセット値は、所定の設定手段によって、ユーザによって設定できるようにしても良い。
【００６７】
また、図６のフローでは、第１のパケットカウンタ２８１及び第２のパケットカウンタ２８２がパケット信号を１０００個受信した毎に第１又は第２エラーカウンタ２８３、２８４の値を検出したが、第１パケットカウンタ２８１又は第２のパケットカウンタ２８２の値に拘わらず、第１又は第２エラーカウンタ２８３、２８４の値を検出し、エラー信号が多発していると判断しても良い。さらに、第１又は第２のエラーカウンタセット値以上となった場合に、第１パケットカウンタ２８１又は第２パケットカウンタ２８２をリセットするようにしても良い。
【００６８】
図７に、本実施形態における映像切換処理の更に他のフローを示す。
【００６９】
当初（ステップ７０１）、カウンタ処理部１８のパケットカウンタセット値は「１０００」に、ＭＰＥＧ２方式の伝送階層に関するエラー信号用の第１のセット値は「３」に、ＭＰＥＧ４方式の伝送階層に関するエラー信号用の第２のセット値は「３」に、ＭＰＥＧ４方式の伝送階層に関するエラー信号用の第３のセット値は「６」にセットされているものとする。
【００７０】
次に、現在視聴中の伝送階層が狭受信エリアサービス（ＭＰＥＧ２方式）か否かが判断される（ステップ７０２）。現在視聴中の伝送階層は、ＣＰＵ３６からの映像切換処理部２６への指定、第１及び第２ビデオデコーダ２０及び２２からのデータ等から判断することができる。
【００７１】
現在視聴中の伝送階層が、狭受信エリアサービス（ＭＰＥＧ２方式）の場合には、制御部２８７は、第１パケットカウンタ２８１の値を「１０００」と比較し、一致するか否かを判断する（ステップ７０３）。一致しない場合には、ステップ７１６へ進み本フローが終了する。
【００７２】
第１パケットカウンタ２８１の値が「１０００」と一致する場合には、制御部２８７において、第１エラーカウンタ２８３の値が第１のセット値である「３」以上か否かが判断される（ステップ７０４）。
【００７３】
第１エラーカウンタ２８３の値が第１のセット値「３」以上の場合には、第２パケットカウンタ２８２の値を「１０００」と比較し、一致するか否かが判断される（ステップ７０５）。
【００７４】
第２パケットカウンタ２８２が「１０００」に一致すると、制御部２８７において、第２エラーカウンタ２８４の値が第２のセット値である「３」より小さいか否かが判断される（ステップ７０６）。
【００７５】
第２エラーカウンタ２８４の値が第２のセット値である「３」より小さい場合には、制御部２８７から映像切換え信号が出力される（ステップ７０７）。映像切換処理部２６は、映像切換え信号を受信すると、現在視聴中のＭＰＥＧ２方式による映像信号から、ＭＰＥＧ４方式によって符号化された符号化データに係わる階層のＴＳパケット信号から第２ビデオデコーダ２２によって出力される映像信号に切換えて、ディスプレイ５０に出力する。
【００７６】
第１エラーカウンタ２８３の値が第１のセット値「３」より小さい場合及びエラーカウンタ２８４の値が第２のセット値である「３」以上の場合には、制御部２８７は現在視聴中のＭＰＥＧ２方式による映像信号の切換えを行わず、第１及び第２パケットカウンタ２８１及び２８２、第１及び第２エラーカウンタ２８３及び２８４のリセット、あるいは、一方の組み合わせ（第１パケットカウンタ２８１と第１エラーカウンタ２８３、又は第２パケットカウンタ２８２と第２エラーカウンタ２８４）のリセットを行い（ステップ７０８）、本フローを終了（ステップ７１６）する。
【００７７】
ステップ７０２で、現在視聴中の伝送階層が、広受信エリアサービス（ＭＰＥＧ４方式）の場合には、制御部２８７は、第１パケットカウンタ２８１の値を「１０００」と比較し、一致するか否かを判断する（ステップ７０９）。一致しない場合には、ステップ７１６へ進み本フローが終了する。
【００７８】
第１パケットカウンタ２８１の値が「１０００」と一致する場合には、制御部２８７において、第１エラーカウンタ２８３の値が第１のセット値である「３」より小さいか否かが判断される（ステップ７１０）。
【００７９】
第１エラーカウンタ２８３の値が第１のセット値「３」より小さいの場合には、制御部２８７において、映像切換え信号が出力される（ステップ７１５）。映像切換処理部２６は、映像切換え信号を受信すると、現在視聴中のＭＰＥＧ４方式による映像信号から、ＭＰＥＧ２方式によって符号化された符号化データに係わる階層のＴＳパケット信号から第１ビデオデコーダ２２によって出力される映像信号に切換えて、ディスプレイ５０に出力する。
【００８０】
ステップ７１０において、第１エラーカウンタ２８３の値が第１のセット値「３」以上の場合には、第２パケットカウンタ２８２の値を「１０００」と比較し、一致するか否かが判断される（ステップ７１１）。
【００８１】
第２パケットカウンタ２８２が「１０００」に一致すると、第２エラーカウンタ２８４の値が第２のセット値である「３」以上か否かが判断される（ステップ７１２）。
【００８２】
第２エラーカウンタ２８４の値が第２のセット値である「３」以上の場合には、制御部２８７において、第２エラーカウンタ２８４の値が第３のセット値である「６」以上か否かが判断される（ステップ７１３）。
【００８３】
第２エラーカウンタ２８４の値が第３のセット値である「６」以上の場合には、制御部２８７は、映像中断信号を出力する（ステップ７１４）。映像切換処理部２６は、映像中断信号を受信すると、現在視聴中のＭＰＥＧ４方式による映像を中断する。中断時には、ディスプレイ５０には、予め定められた静止画（例えば中断を示す画面）を表示することが好ましい。さらに、この場合、音声信号のみをスピーカ６０から出力することが好ましい。
【００８４】
第２エラーカウンタ２８４の値が第２のセット値「３」以上であるが、第３のセット値「６」より小さい場合には、制御部２８７は現在視聴中のＭＰＥＧ４方式による映像信号の切換えを行わない。
【００８５】
その後、制御部２８７は、第１及び第２パケットカウンタ２８１、２８２、第１及び第２エラーカウンタ２８３、２８４のリセット、あるいは、一方の組み合わせ（第１パケットカウンタ２８１と第１エラーカウンタ２８３、又は第２パケットカウンタ２８２と第２エラーカウンタ２８４）のリセットを行い（ステップ７０８）、本フローを終了（ステップ７１６）する。本フローは、所定のタイミングで繰替えされる。
【００８６】
この様にして、狭受信エリアサービスを視聴中に狭受信エリアサービスにおいてエラー信号が多発している場合には（ステップ７０４参照）、広受信エリアサービスにおいてエラー信号が多発していないことを条件に（ステップ７０６参照）、狭受信エリアサービスであるＭＰＥＧ２方式によるサービスからＭＰＥＧ４方式による広受信エリアサービスに切換える（ステップ７０７参照）。また、広受信エリアサービスを視聴中には、狭受信エリアサービスにおいてエラー信号が多発していないことを条件（ステップ７１０参照）、広受信エリアサービスであるＭＰＥＧ４方式によるサービスからＭＰＥＧ２方式による狭受信エリアサービスに切換える（ステップ７１５参照）。さらに、広受信エリアサービスを視聴中に広受信エリアサービスにおいてもさらに多くのエラー信号が多発している場合には、映像を中断する（ステップ７１４参照）。
【００８７】
なお、図７のフローでは、狭受信エリアサービスにおいては１０００パケット信号毎に３以上のエラー信号をカウントした場合に受信状態不良と判断し、広受信エリアサービスにおいては１０００パケット信号毎に３以上のエラー信号をカウントした場合に受信状態不良及び６以上で受信不可能と判断したが、これは一例であって、装置や状況に応じて、様々に変更可能である。また、パケットカウンタセット値、第１〜第３のエラーカウンタセット値は、所定の設定手段によって、ユーザによって設定できるようにしても良い。
【００８８】
また、図７のフローでは、第１及び第２パケットカウンタ２８１、２８２においてパケット信号を１０００個受信した毎に第１又は第２エラーカウンタ２８３、２８４の値を検出したが、第１及び第２パケットカウンタ２８１、２８２の値に拘わらず、第１又は第２エラーカウンタ２８３、２８４の値を検出し、エラー信号が多発していると判断しても良い。さらに、第１又は第２のエラーカウンタセット値以上となった場合に、パケットカウンタ２８１、２８２をリセットするようにしても良い。さらに、第２パケットカウンタの値が「１０００」と一致した時に第２エラーカウンタの値をセット値と比較するようにしたが、第２パケットカウンタが「１０００」に到達した時の第２エラーカウンタの値をセット値と比較するようにしても良い。
【００８９】
前述した第１及び第２の実施形態では、受信状態を示すＴＳパケット信号内のヘッダ部にあるトランスポート・エラー信号を利用して映像切換え制御を行ったが、トランスポート・エラー信号の代わりに、符号化された符号化データに係わる階層に関するリードソロモン(Read Solomon)・エラー信号を用いてもよい。リードソロモン符号は、地上波デジタル放送で用いられる誤り訂正符号の一つであり、複数ビットをひとまとめにしたワード単位で誤り訂正を行うものである。リードソロモン・エラー信号は、復調されたデータがリードソロモン符号による誤り訂正の結果、異常があると判定された場合にＨレベル、異常がないと判定された場合にＬレベルとなる信号である。
【００９０】
リードソロモン・エラー信号を利用した場合、リードソロモン・エラー信号はＯＦＤＭ復調処理部１４から出力され、リードソロモン・エラー信号をトランスポート・エラー信号と置き換えるだけで、その他の制御は同様となる。
【００９１】
本発明の第３の実施形態について以下に説明する。
【００９２】
第３の実施形態では、第１ビデオデコーダ２０及び第２ビデオデコーダ２２のそれぞれがデコードする映像を判断して、それらかの制御信号によって映像切換処理部２６において映像の切換えを行う。具体的には、各デコーダは、その内部に映像のエラーをカウントする内部レジスタを有しており、内部レジスタに応じて狭受信エリアサービスと広受信エリアサービスを切換える。したがって、本実施形態では、図１に示したカウンタ処理部１８は必要ない。
【００９３】
図８に、本実施形態における映像切換処理のフローを示す。
【００９４】
当初（ステップ８０１）、ＭＰＥＧ２方式によって符号化された符号化データに係わる階層のＴＳパケット信号から第１ビデオデコーダ２０によって映像信号がディスプレイ５０に出力されるように映像切換処理部２６の設定がなされているものとする。
【００９５】
次に、現在視聴中の伝送階層が狭受信エリアサービス（ＭＰＥＧ２方式）か否かが判断される（ステップ８０２）。現在視聴中の伝送階層は、ＣＰＵ３６からの映像切換処理部２６への指定、ＯＦＤＭ復調処理部１４からのＴＳデータ等から判断することができる。
【００９６】
現在視聴中の伝送階層が、狭受信エリアサービス（ＭＰＥＧ２方式）の場合には、第１ビデオデコーダ２０（狭受信エリアサービスデコーダ）からの制御信号又は内部レジスタが、映像劣化状態を示すか否かを判断する（ステップ８０２）。
【００９７】
第１ビデオデコーダ２０からの制御信号又は内部レジスタが、映像劣化状態を示す場合には、映像の切換えを実施して（ステップ８０３）、本フローを終了する（ステップ８０６）。この映像の切換えによって、狭受信エリアサービスから広受信エリアサービスへの切換えが行われる。
【００９８】
ステップ８０１で、現在視聴中の伝送階層が、広受信エリアサービス（ＭＰＥＧ４方式）の場合には、第１ビデオデコーダ２０（狭受信エリアサービスデコーダ）からの制御信号又は内部レジスタが、映像劣化状態を示すか否かを判断する（ステップ８０４）。
【００９９】
第１ビデオデコーダ２０からの制御信号又は内部レジスタが、映像劣化状態を示していない場合には、映像の切換えを実施して（ステップ８０３）、本フローを終了する（ステップ８０６）。この映像の切換えによって、広受信エリアサービスから狭受信エリアサービスへの切換えが行われる。
【０１００】
このようにして、ビデオデコーダからの制御信号又は内部レジスタが映像劣化状態を示すか否かに応じて、狭受信エリアサービス（ＭＰＥＧ２方式）と広受信エリアサービス（ＭＰＥＧ４方式）との切換えを行うことが可能となる。
【０１０１】
次に、第１〜第３の実施形態における映像切換え実施について説明する。
【０１０２】
狭受信エリアサービスと広受信エリアサービスとの間の映像の切換えは、シームレスに行う必要があるため、映像の切換えが判断されたとしても、直ぐに映像の切換えを行わずに、所定時間後に映像の切換えを行って、シームレス制御することが好ましい。例えば、図９に示すように、映像の切換えが判断された映像切換えタイミング９０１で実際に映像を切換えずに、所定時間Ｔ後の９０２の時点で映像を切換える。所定時間Ｔは、ＣＰＵ３６が時間を管理し、ソフト上で遅延を実現する方法、タイマＩＣ等のハードを用いる方法がある。
【０１０３】
遅延時間Ｔは、ＴＳパケット信号のヘッダ部に含まれるＰＴＳ(Presentation Time Stamp：提示時刻情報）又はＤＴＳ(Decoding Time Stamp：復号時刻情報）からシームレスに映像を切換えるための遅延時刻をＣＰＵ３９で計算した値であって、ＣＰＵ３９の駆動クロック周波数ＣＬＫ（図９参照）に基づいて定めされる。なお、シームレス制御を行うレベルは、デジタル受信機１０にボリューム（不図示）を取り付け、各種パケットカウンタ設定値及び／又は各種エラーカウンタ設定値を増減させるようにして、ユーザによってレベルを設定できるようにすることが好ましい。
【０１０４】
次に、実際に映像を切換える実現方策フローを図１０に示す。
【０１０５】
最初に、ＣＰＵ３６からの制御信号が映像切換え実行状態を示しているか否かを判断する（ステップ１００１）。なお、ＣＰＵ３６が、例えば第１又は第２のビデオデコーダ２０又は２２にアクセスして情報を得で映像の切換えを判断するものとする。
【０１０６】
ＣＰＵ３６からの制御信号が映像切換え実行状態を示している場合には、映像の切換えを実施する（ステップ１００２）。
【０１０７】
ＣＰＵ３６からの制御信号が映像切換え実行状態を示していない場合には、映像切換えを実施せずにフローを終了する。
【０１０８】
次に、実際に映像を切換える他の実現方策フローを図１１に示す。
【０１０９】
最初に、映像切換処理部２６のシームレス制御レジスタにアクセスする（ステップ１１０１）。
【０１１０】
次に、シームレス制御レジスタが映像切換実行状態を示しているか否かを判断する（ステップ１１０２）。
【０１１１】
シームレス制御レジスタが映像切換実行状態を示している場合には、映像切換えを実施する（ステップ１１０３）。
【０１１２】
シームレス制御レジスタが映像切換実行状態を示していない場合には、映像切換えを実施せずにフローを終了する。
【図面の簡単な説明】
【０１１３】
【図１】本発明に係るデジタルデータ受信機の概要を示すブロック図である。
【図２】カウンタ処理部の概要を示すブロック図である。
【図３】図２に示すカウンタ処理部を用いた場合の映像切換フローを示す図である。
【図４】他のカウンタ処理部の概要を示すブロック図である。
【図５】図４に示すカウンタ処理部を用いた場合の映像切換フローを示す図である。
【図６】図４に示すカウンタ処理部を用いた場合の他の映像切換フローを示す図である。
【図７】図４に示すカウンタ処理部を用いた場合の更に他の映像切換フローを示す図である。
【図８】他の映像切換フローを示す図である。
【図９】映像切換タイミングを説明するための図である。
【図１０】映像切換え実施のフローを示す図である。
【図１１】他の映像切換え実施のフローを示す図である。
【符号の説明】
【０１１４】
１０…デジタルデータ受信機
１４…ＯＦＤＭ復調処理部
１６…ＴＳ信号分離処理部
１８…カウンタ処理部
２０…第１ビデオデコーダ
２２…第２ビデオデコーダ
２６…映像切換処理部
３６…ＣＰＵ
５０…ディスプレイ
【図１】
2005217474.tif 000003
【図２】
2005217474.tif 000004
【図３】
2005217474.tif 000005
【図４】
2005217474.tif 000006
【図５】
2005217474.tif 000007
【図６】
2005217474.tif 000008
【図７】
2005217474.tif 000009
【図８】
2005217474.tif 000010
【図９】
2005217474.tif 000011
【図１０】
2005217474.tif 000012
【図１１】
2005217474.tif 000013